(57)【要約】【課題】  洗浄容易で取っ手の付いたコップを一体に収容可能なペットボトル用ソフトケースを提供する。【解決手段】  蓋部（１２）には、側面に孔（１２ａ）を備え、取っ手（２ａ）の付いたコップ（２）が、取っ手（２ａ）を孔（１２ａ）に通して収容可能である。基部（１１）には、開口端の内側から伸長する環状のネット（１８）を備え、ネット（１８）の端部を拡縮可能な手段（１８ａ）が備えられることにより、収容するペットボトル（１）の首部を絞めることが可能である。【選択図】  図１
2007001644.tif 000002
【特許請求の範囲】
【請求項１】
それぞれの開口端の一部が、可撓連結される基部および蓋部からなり、基部の開口端および蓋部の開口端を閉じ合わせるようにファスナーが配置されたペットボトル用ソフトケースであり、前記蓋部には、側面に孔を備え、取っ手のあるコップが、取っ手を前記孔に通して前記蓋部内に収容可能であることを特徴とするペットボトル用ソフトケース。
【請求項２】
前記基部には、開口端の内側から伸長する環状のネットを備え、該ネットの端部を拡縮可能な手段が備えられることにより、収容するペットボトルの首部を絞めることが可能であることを特徴とする請求項１に記載のペットボトル用ソフトケース。
【請求項３】
前記基部の側面および前記蓋部の側面に、面ファスナーを構成する２つの構成部材が、対向して備えられることを特徴とする請求項１または２に記載のペットボトル用ソフトケース。
【発明の詳細な説明】
【技術分野】
【０００１】
本発明は、ペットボトル用ソフトケースに関する。
【背景技術】
【０００２】
イベントに出かけたり、町中を散策するときなどには、水や清涼飲料水の入ったペットボトルを持ち歩いて、早めに水分を補給することにより、喉の乾きを潤したり、熱中症を防止することができる。しかし、バッグなどにペットボトルをそのまま入れると、外側に結露した水分で他の物を濡らすという問題があった。また、飲料水などを冷えたままか、あるいは暖かいままにして、飲みたいという要望もあり、ペットボトルを収容可能で、ある程度に保温効果が望めるケースが考案されて普及している。
【０００３】
さらに、家族や仲間同士のように、複数の人間が飲用するため、ペットボトルの開けた開口部に口を着けないように使用するには、コップが必要である。そのため、ペットボトルの頭部を覆うように、かつ、コップとしても使用可能な蓋を備えるハードケースもあった。
【０００４】
例えば、特開平１０−１９４３６０号公報には、ペットボトルを収容しやすい構造を備え、回旋させるだけで容易に着脱可能な蓋を備えたペットボトル用のハードケースが記載されている。
【０００５】
しかし、このような堅固な素材のハードケースは、蓋体をコップとして使用することによる利便性を有し、保温性能に優れる反面、ある程度、重たかったり、使用後にもかさばるという問題や、コップを本体に係合させるために、縁の内側などに係合のための構造を必要とし、洗浄が困難であったり、不衛生になるという問題もあった。これに対して、携行の利便性を解決するためには、軽く、使用後には畳むことができる布製などのソフトケースが工夫されていたが、前述のように複数の人間で飲用するために必要なコップを同時に収容することが困難であるという問題があった。
【０００６】
また、これらのコップは、取っ手の無い構造であり、例えば熱い飲料の場合、コップを素手で保持することが困難であった。
【０００７】
【特許文献１】特開平１０−１９４３６０号公報
【発明の開示】
【発明が解決しようとする課題】
【０００８】
本発明は、洗浄容易で取っ手の付いたコップを一体に収容可能なペットボトル用ソフトケースを提供することを目的とする。
【課題を解決するための手段】
【０００９】
本発明のペットボトル用ソフトケースは、それぞれの開口端の一部が、可撓連結される基部および蓋部からなり、基部の開口端および蓋部の開口端を閉じ合わせるようにファスナーが配置され、前記蓋部には、側面に孔を備え、取っ手のあるコップが、取っ手を前記孔に通して前記蓋部内に収容可能である。
【００１０】
さらに、前記基部には、開口端の内側から伸長する環状のネットを備え、該ネットの端部を拡縮可能な手段が備えられることにより、収容するペットボトルの首部を絞めることが可能であることが好ましい。
【００１１】
また、前記基部の側面および前記蓋部の側面に、面ファスナーを構成する２つの構成部材が、対向して備えられることが好ましい。
【発明の効果】
【００１２】
本発明により、洗浄容易で取っ手の付いたコップを一体に収容可能なペットボトル用ソフトケースを提供でき、使用時に使用者が取っ手の付いたコップを用いて、快適に飲料を飲むことができる。
【発明を実施するための最良の形態】
【００１３】
本発明を、図面を参照して説明する。図１は、本発明のペットボトル用ソフトケースの一実施例を示す斜視図である。図２は、本発明のペットボトル用ソフトケースの一実施例を示す側面図である。図３は、図２に示したペットボトル用ソフトケースにペットボトルおよびコップを収容した状態を示す側面図である。図４は、図３に示したペットボトル用ソフトケースのファスナーを閉じた状態を示す側面図である。図１では、説明のためにベルトの図示を省略した。
【００１４】
本発明のペットボトル用ソフトケースは、それぞれの開口端の一部が、柔軟素材（１７）により可撓連結される基部（１１）および蓋部（１２）からなり、基部（１１）の開口端および蓋部（１２）の開口端を閉じ合わせるようにファスナー（１３）が配置される。
【００１５】
基部（１１）および蓋部（１２）は、防水性で耐久性の布を公知技術により縫製して作製する。いずれも、内布と外布との間に断熱素材を配置させてもよい。基部（１１）は、収容するペットボトル（１）に合わせた寸法とし、蓋部（１２）は、収容するコップ（２）に合わせ、縁がやや突出する程度となる寸法とする。ファスナー（１３）は、市販品のいずれかでよい。
【００１６】
蓋部（１２）には、側面に孔（１２ａ）を備え、取っ手（２ａ）の付いたコップ（２）が、取っ手（２ａ）を孔（１２ａ）に通して、蓋部（１２）に収容可能である。基部（１１）には、開口端の内側から伸長する環状のネット（１８）を備え、ネット（１８）の端部を拡縮可能な手段（１８ａ）が備えられることにより、収容するペットボトル（１）の首部を絞めることが可能である。
【００１７】
基部（１１）には、取っ手（１１ａ）やベルト（１４）を設けるとよい。そのために、ベルト（１４）には、基部（１１）に着脱を可能とする着脱具（１４ａ）、（１４ｂ）を備え、基部（１１）には、ベルト着脱具（１１ｂ）、（１１ｃ）を備える。さらに、ベルト（１４）には、長さ調整具（１４ｃ）を備える。
【００１８】
また、ベルト（１４）、着脱具（１４ａ）、（１４ｂ）、ベルト着脱具（１１ｂ）、（１１ｃ）および長さ調整具（１４ｃ）は、公知技術を実施した市販品のいずれでもよい。
【００１９】
ネット（１８）は、例えば六角形を基本として編み上げられたレースなど、伸縮性および柔軟性に富んだ素材がよく、環状となるようにして、基部（１１）の開口部の内側に縫合する。開口する側には、ゴム紐（１８ａ）などを縫製などにより備え、ネット（１８）の開口側の端部を拡縮可能とする。
【００２０】
また、柔軟素材（１７）に近接する基部（１１）の側面および蓋部（１２）の側面に、面ファスナーを構成する２つの構成部材（１５）、（１６）を、対向して備える。面ファスナーは、公知技術を実施した市販品のいずれでもでよい。
【００２１】
本発明のペットボトル用ソフトケースの使用方法を説明する。
【００２２】
収容するペットボトル（１）は、図２に示されたように、ネット（１８）の端部を最大に開いた状態としてから収容し、図３に示されたように、ペットボトル（１）の首部を絞める。また、図３に示されたように、取っ手（２ａ）の付いたコップ（２）は、取っ手（２ａ）を孔（１２ａ）に通しつつ、蓋部（１２）に収容する。
【００２３】
さらに、図４に示したように、基部（１１）の開口端および蓋部（１２）の開口端を向き合わせて、ファスナー（１３）で閉じ合わせ、ベルト着脱具（１４ａ）を着脱具（１１ｂ）にはめ込み、ベルト着脱具（１４ｂ）を着脱具（１１ｃ）にはめ込み、長さ調整具（１４ｃ）により、ベルト（１４）の長さを調整する。
【００２４】
本発明のペットボトル用ソフトケースには、縁などに汚れが残りにくく、洗浄容易である市販の取っ手の付いたコップを収容することができるので、使用後の洗浄が容易となる。また、取っ手を握ることができるため、飲みやすく、落とさずに使用することができる。なお、前記コップは、本発明のペットボトル用ソフトケースの蓋部に収容できるものを準備してもよい。
【図面の簡単な説明】
【００２５】
【図１】本発明のペットボトル用ソフトケースの一実施例を示す斜視図である。
【図２】本発明のペットボトル用ソフトケースの一実施例を示す側面図である。
【図３】図２に示したペットボトル用ソフトケースにペットボトルおよびコップを収容した状態を示す側面図である。
【図４】図３に示したペットボトル用ソフトケースのファスナーを閉じた状態を示す側面図である。
【符号の説明】
【００２６】
１  ペットボトル
２  コップ
２ａ  取っ手
１１  基部
１１ａ  取っ手
１１ｂ  、１１ｃ  ベルト着脱具
１２  蓋部
１２ａ  孔
１３  ファスナー
１４  ベルト
１４ａ、１４ｂ  着脱具
１４ｃ  長さ調整具
１５、１６  面ファスナー
１７  連結部分
１８  ネット
１８ａ  ゴム紐
【図１】
2007001644.tif 000003
【図２】
2007001644.tif 000004
【図３】
2007001644.tif 000005
【図４】
2007001644.tif 000006